(57)【要約】      （修正有）【課題】金員の収納や取り出しを簡単に行うことができる熨斗袋を提供する。【解決手段】袋本体１１に収納した収納シート１２を袋本体１１の袋口１１ａから引き出すとき、第１折り返し片に第２折り返し片が掛止するので、袋本体１１と収納シート１２が別々に分離しない。そのため、袋本体１１から引き出した収納シート１２を押し込むだけで簡単に袋本体１１の中に戻すことができる。第３折り返し片を指で摘んで収納シート１２を袋本体１１から引き出すことができるので、収納シート１２の引き出しが容易に行える。また、収納シート１２を袋本体１１に収納した状態で第３折り返し片が袋本体１１の裏面外側に露出するので、第３折り返し片の氏名欄を見て、受け取った人が容易に贈り主を知ることができ、使い勝手が良い。【選択図】図１
0003197631.tif 000002
【実用新案登録請求の範囲】
【請求項１】
袋本体と、袋本体の袋口から出し入れ可能で、金員を収納できる収納シートを備え、
袋本体の袋口近辺の内面に第１折り返し片を形成し、
収納シートの本体の下端部に第２折り返し片を形成し、
袋本体に収納した収納シートを袋本体から引き出すとき第１折り返し片に第２折り返し片が掛止することにより、収納シートが袋本体の袋口から外れないように構成したことを特徴とする熨斗袋。
【請求項２】
袋本体と、袋本体の袋口から出し入れ可能で、金員を収納できる収納シートを備え、
袋本体に袋口から袋本体内部に折り込まれる第１折り返し片を形成し、
収納シートの本体の下端部に収納シートの上側へ折り返した第２折り返し片を形成し、
袋本体に収納した収納シートを袋本体から引き出すとき第１折り返し片に第２折り返し片が掛止することにより、収納シートが袋本体の袋口から外れないように構成したことを特徴とする熨斗袋。
【請求項３】
前記収納シートの本体上端部に第３折り返し片を形成し、収納シートを袋本体に収納したとき、第３折り返し片が、袋本体の裏面外側に重なるようにしたことを特徴とする請求項２に記載の熨斗袋。
【請求項４】
収納シートの本体下端部に第２折り返し片とは逆方向に折り返した第４折り返し片を形成し、収納シートの本体と第４折り返し片で金員を挟むようにしたことを特徴とする請求項２に記載の熨斗袋。
【請求項５】
前記第１折り返し片の中間部または、第２折り返し片の中間部を先端側から内側に切り欠いて第１切欠部を形成したことを特徴とする請求項１に記載の熨斗袋。
【請求項６】
左右２枚の紙片を袋口近辺の左端内面と、右端内面に貼り付けて第１折り返し片を形成したことを特徴とする請求項１に記載の熨斗袋。
【請求項７】
袋本体の裏面に袋口から第２切欠部を形成し、袋本体に収納した収納シートの上端部が第２切欠部から露出するようにしたことを特徴とする請求項１に記載の熨斗袋。
【考案の詳細な説明】
【技術分野】
【０００１】
本考案は熨斗袋に関する。
【背景技術】
【０００２】
金員を贈るときに金員を包む熨斗袋の一形式として、特開２００６−８１８８号には図１４に示すように、紙幣を収納する第１の袋体２と、第１の袋体２を袋口３ａから差し込んで収納する第２の袋体３を備えた熨斗袋１が開示されている。この熨斗袋１の第２の袋体３には水引４が取り付けられている。そして、第１の袋体２を第２の袋体３に差し込んだとき、第２の袋体３の袋口３ａから第１の袋体２の上半分が突出するように構成されている。
かかる構成の熨斗袋１によれば、水引４を外さなくても、紙幣を収納した第１の袋体２の上端部を摘んで引き出すだけで、第２の袋体３から第１の袋体２を簡単に取り出すことができる。
【先行技術文献】
【特許文献】
【０００３】
【特許文献１】特開２００６−８１８８号公報
【考案の概要】
【考案が解決しようとする課題】
【０００４】
上記した従来の熨斗袋１は第１の袋体２に紙幣を収納するとき、一旦、第２の袋体３から第１の袋体２を取り出す。また、第１の袋体２に収納した紙幣を取り出すときも、やはり一旦、第１の袋体２を第２の袋体３から取り出す。そのため、紙幣を収納したり、取り出した後、第１の袋体２を第２の袋体３に戻すとき、第２の袋体３の窄まった袋口３ａから第１の袋体２を差し込まなければならず、第１の袋体２を第２の袋体３の中に戻すのに手間取るという問題点があった。
本考案はかかる問題点に鑑み、金員の収納や取り出しを簡単に行うことができる熨斗袋を提供することを目的とする。
【課題を解決するための手段】
【０００５】
請求項１に記載の考案は、袋本体と、袋本体の袋口から出し入れ可能で、金員を収納できる収納シートを備え、
袋本体の袋口近辺の内面に第１折り返し片を形成し、
収納シートの本体の下端部に第２折り返し片を形成し、
袋本体に収納した収納シートを袋本体から引き出すとき第１折り返し片に第２折り返し片が掛止することにより、収納シートが袋本体の袋口から外れないように構成したことを特徴とする。
【０００６】
請求項２に記載の考案は、袋本体と、袋本体の袋口から出し入れ可能で、金員を収納できる収納シートを備え、
袋本体に袋口から袋本体内部に折り込まれる第１折り返し片を形成し、
収納シートの本体の下端部に収納シートの上側へ折り返した第２折り返し片を形成し、
袋本体に収納した収納シートを袋本体から引き出すとき第１折り返し片に第２折り返し片が掛止することにより、収納シートが袋本体の袋口から外れないように構成したことを特徴とする。
【０００７】
請求項３に記載の考案は、請求項２に記載の熨斗袋において、前記収納シートの本体上端部に第３折り返し片を形成し、収納シートを袋本体に収納したとき、第３折り返し片が、袋本体の裏面外側に重なるようにしたことを特徴とする。
【０００８】
請求項４に記載の考案は、請求項２に記載の熨斗袋において、
収納シートの本体下端部に第２折り返し片とは逆方向に折り返した第４折り返し片を形成し、収納シートの本体と第４折り返し片で金員を挟むようにしたことを特徴とする。
【０００９】
請求項５に記載の考案は、請求項１に記載の熨斗袋において、
前記第１折り返し片の中間部または、第２折り返し片の中間部を先端側から内側に切り欠いて第１切欠部を形成したことを特徴とする。
【００１０】
請求項６に記載の考案は、請求項１に記載の熨斗袋において、
左右２枚の紙片を袋口近辺の左端内面と、右端内面に貼り付けて第１折り返し片を形成したことを特徴とする。
【００１１】
請求項７に記載の考案は、請求項１に記載の熨斗袋において、
袋本体の裏面に袋口から第２切欠部を形成し、袋本体に収納した収納シートの上端部が第２切欠部
から露出するようにしたことを特徴とする。
【考案の効果】
【００１２】
請求項１及び請求項２に記載の考案によれば、袋本体に収納した収納シートを袋本体から引き出すとき第１折り返し片に第２折り返し片が掛止するので、袋本体と収納シートが分離しない。そのため、袋本体から引き出した収納シートを押し込むだけで簡単に袋本体の中に戻すことができる。
【００１３】
請求項３に記載の考案によれば、第３折り返し片を指で摘んで収納シートを袋本体から引き出すことができるので、収納シートの引き出しが容易に行える。
また、収納シートを袋本体に収納した状態で第３折り返し片が袋本体の裏面外側に露出するので、第３折り返し片に贈り主の氏名や収納金額を記載することにより、受け取った人が容易に贈り主や収納金額を知ることができ、使い勝手が良い。
【００１４】
請求項４に記載の考案によれば、収納シートと袋本体を別々に分離しなくても、収納シートを袋本体から引き出せば、収納シートの本体と第４折り返し片の間に挟まれた金員を簡単に取り出すことができ、使い勝手が良い。
【００１５】
袋本体から収納シートを引き出すとき、袋本体の袋口の両側を指で押して袋口を開くと、袋本体の表裏両面が撓み、それに伴い第１折り返し片の中間部が袋本体の内面に密着することがある。第１折り返し片の中間部が袋本体の内面に密着すると、収納シートを袋本体から引き出すときに第２折り返し片の中間部が袋本体の内面と第１折り返し片の中間部との間に入り込む隙間が形成されないため、第１折り返し片の中間部と第２折り返し片の中間部が干渉して収納シートが途中までしか袋本体から引き出すことができない。
請求項５に記載の考案によれば、第１折り返し片の中間部または、第２折り返し片の中間部を先端側から内側に切り欠いて第１切欠部を形成したので、袋本体から収納シートを引き出すとき第１折り返し片の中間部と第２折り返し片の中間部が干渉しない。従って、収納シートが途中で引き出せなくなることはない。
【００１６】
請求項６に記載の考案によれば、左右２枚の紙片を袋口近辺の左端内面と、右端内面に貼り付けて第１折り返し片を形成したので、袋本体から収納シートを引き出すとき第２折り返し片の中間部が第１折り返し片に干渉しない。従って、収納シートが途中で引き出せなくなることはない。
また、紙片を貼り付けるので、簡単に第１折り返し片を形成できる。
【００１７】
請求項７に記載の考案によれば、袋本体に収納した収納シートの上端部が第２切欠部から露出するので、露出している収納シートの上端部を指で摘んで収納シートを袋本体から取り出すことができ、使い勝手が良くなる。
【図面の簡単な説明】
【００１８】
【図１】本考案の第１実施例に係る熨斗袋の表側を示す斜視図である。
【図２】本考案の第１実施例に係る熨斗袋の裏側を示す斜視図である。
【図３】図１のＡ−Ａ線から切断した断面図である。
【図４】本考案の第１実施例に係る熨斗袋の袋本体を示す斜視図である。
【図５】本考案の第１実施例に係る熨斗袋の収納シートの表側を示す斜視図である。
【図６】本考案の第１実施例に係る熨斗袋の収納シートの裏側を示す斜視図である。
【図７】本考案の第１実施例に係る熨斗袋の収納シートの展開図である。
【図８】本考案の第１実施例に係る熨斗袋の収納シートを引き出した状態を示す断面図である。
【図９】本考案の第２実施例に係る熨斗袋の袋本体を示す斜視図である。
【図１０】本考案の第２実施例に係る熨斗袋の袋本体を示す斜視図である。
【図１１】本考案の第３実施例に係る熨斗袋の収納シートを示す斜視図である。
【図１２】本考案の第４実施例に係る熨斗袋の表側を示す斜視図である。
【図１３】本考案の第４実施例に係る熨斗袋の裏側を示す斜視図である。
【図１４】従来の熨斗袋を示す正面図である。
【実施例１】
【００１９】
以下に本考案を図面に基づき説明するに、図１、図２、図３には本考案の第１実施例に係る熨斗袋１０が示されている。当該熨斗袋１０は袋本体１１と、袋本体１１の袋口１１ａから出し入れ可能な収納シート１２を備えている。袋本体１１の表面には水引１３が装着されている。また、図４に示すように、袋本体１１には袋口１１ａから袋本体１１の内部に折り返した第１折り返し片１１ｂが形成されている。
【００２０】
図５及び図６に示すように、収納シート１２の本体１２ａの下端部に第２折り返し片１２ｂが形成され、本体１２ａの上端部に第３折り返し片１２ｃが形成されている。また、本体１２ａの下端部に第４折り返し片１２ｄが形成されている。第２折り返し片１２ｂと第４折り返し片１２ｄはそれぞれ本体１２ａを挟むように本体１２ａの一側と他側に形成され、いずれも上側に向けて折り返されている。また、第３折り返し片１２ｃは本体１２ａの上端部から第４折り返し片１２ｄの側へ折り返されている。第３折り返し片１２ｃには氏名欄１２ｅが形成されている。第４折り返し片１２ｄには金額欄１２ｆが形成されている。
【００２１】
図７に収納シート１２の展開図を示す。収納シート１２は一枚の紙片１２Ａからなる。この紙片１２Ａにはａ，ｂ，ｃ，ｄの４本の折り曲げ線と１本の切断線ｅが形成され、各折り曲げ線ａ，ｂ，ｃ，ｄと切断線ｅによって縦長長方形の面Ａ，Ｂ，Ｃと横長長方形の面Ｄ，Ｅ，Ｆが区画形成されている。面Ａと面Ｂは同一寸法に設定されている。面Ｃは面Ｂの下端部に連接するように、かつ面Ｂの縦寸法より若干短く設定されている。面Ｄは面Ａの上端部に連接するように形成されている。面Ｅは面Ｂの上端部に連接するように形成されている。面Ｄと面Ｅは同一寸法に設定されている。面Ｆは面Ａの下端部に連接するように形成されとともに、切断線ｅで面Ｃから分断している。面Ｄの表面に氏名欄が形成され、面Ｃの裏面に金額欄が形成されている。
【００２２】
収納シートは図７において、折り曲げ線ａから山折りして面Ａと面Ｂ及び面Ｄと面Ｅを重ね合わせ、ついで、折り曲げ線ｂから谷折りして面Ｂに面Ｃを重ねあわせる。次に折り曲げ線ｃから谷折りして重なっている面Ｄと面Ｅを面Ｃもしくは面Ｂに重ね合わせる。ついで、折り曲げ線ｄから谷折りする。
以上の一連の手順を経ることにより一枚の紙片１２Ａから収納シート１２が形成されている。
【００２３】
第１実施例に係る熨斗袋の構造は以上の通りであって、図８に示すように、袋本体１１に収納した収納シート１２を袋本体１１の袋口１１ａから引き出すとき、第１折り返し片１１ｂに第２折り返し片１２ｂが掛止するので、袋本体１１と収納シート１２が別々に分離しない。そのため、袋本体１１から引き出した収納シート１２を押し込むだけで簡単に袋本体１１の中に戻すことができる。
【００２４】
第３折り返し片１２ｃを指で摘んで収納シート１２を袋本体１１から引き出すことができるので、収納シート１２の引き出しが容易に行える。また、収納シート１２を袋本体１１に収納した状態で第３折り返し片１２ｃが袋本体１１の裏面外側に露出するので、第３折り返し片１２ｃの氏名欄を見て、受け取った人が容易に贈り主を知ることができ、使い勝手が良い。
【００２５】
収納シート１２と袋本体１１を別々に分離しなくても、収納シート１２を袋本体１１から引き出せば、収納シート１２の本体１２ａと第４折り返し片１２ｄの間に挟まれた紙幣１４を簡単に取り出すことができ、使い勝手が良い。
【実施例２】
【００２６】
ところで、第１実施例に係る熨斗袋１０において、袋本体１１から収納シート１２を引き出すとき、袋本体１１の袋口１１ａの両側を指で押して袋口１１ａを開くと、袋本体１１の表裏両面が撓み、それに伴い第１折り返し片１１ｂの中間部が袋本体１１の内面に密着することがある。第１折り返し片１１ｂの中間部が袋本体１１の内面に密着すると、収納シート１２を袋本体１１から引き出すときに第２折り返し片１２ｂの中間部が袋本体１１の内面と第１折り返し片１１ｂの中間部との間に入り込む隙間が形成されないため、第１折り返し片１１ｂの中間部と第２折り返し片１２ｂの中間部が干渉して収納シート１２が途中までしか袋本体１１から引き出すことができない。
【００２７】
第２実施例に係る熨斗袋１０の袋本体１５は、図９及び図１０に示すように、袋口１５ａに連接して形成した第１折り返し片１５ｂの中間部を先端側から内側に切り欠いて第１切欠部１５ｃが形成されている。このように第１折り返し片１５ｂの中間部を切り欠くことにより、袋本体１５から収納シート１２を引き出すとき、第１折り返し片１５ｂの中間部と第２折り返し片１２ｂの中間部が干渉しない。従って、収納シート１２が袋本体１５の途中で引き出せなくなることを防止できる。
なお、第２実施例に係る熨斗袋１０の他の構成は第１実施例に係る熨斗袋１０と同じであるので、説明を省略する。
【実施例３】
【００２８】
上記第２実施例に係る熨斗袋１０では第１折り返し片１５ｂの中間部を切り欠いたが、図１１に示すように収納シート１６の第２折り返し片１６ｂの中間部に第１切欠部１６ｃを形成しても、第２実施例に係る熨斗袋１０と同様の作用効果を奏することができる。
なお、第３実施例に係る熨斗袋１０の他の構成は、第１実施例に係る熨斗袋１０と同じであるので、説明を省略する。
【実施例４】
【００２９】
本考案の第４実施例に係る熨斗袋を図１２及び図１３に示す。当該熨斗袋２０は、袋本体２１と収納シート２２からなり、袋本体２１は上端部に袋口２１ａを有する。袋本体２１の上端部の裏面と下端部の裏面にそれぞれ裏側折り返し片２１ｂ，２１ｃが形成されている。そして、袋本体２１の裏面上端部には袋口２１ａから第２切欠部２１ｄが形成されている。また、裏側折り返し片２１ｂの上端部にも第２切欠部２１ｅが形成されている。第２切欠部２１ｄと第２切欠部２１ｅは整列している。袋本体２１の表側の内面には袋口２１ａの近辺の左右２箇所に、それぞれ第１折り返し片２１ｆが形成されている。各第１折り返し片２１ｆは、紙片を糊若しくは粘着テープで貼り付けて形成されている。一方、収納シート２２は袋状に形成され、下端部に第２折り返し片２２ａが形成されている。
【００３０】
第４実施例に係る熨斗袋２０の構造は以上の通りであって、袋本体２１に収納した収納シート２２を袋本体２１から引き出すとき、第１折り返し片２１ｆに第２折り返し片２２ａが掛止するので、袋本体２１と収納シート２２が分離しない。そのため、袋本体２１から引き出した収納シート２２を押し込むだけで簡単に袋本体２１の中に戻すことができる。
【００３１】
左右２枚の紙片を袋口２１ａの近辺の左端内面と、右端内面に貼り付けて第１折り返し片２１ｆを形成したので、袋本体２１から収納シート２２を引き出すとき第２折り返し片２２ａの中間部が第１折り返し片２１ｆに干渉しない。従って、収納シート２２が途中で引き出せなくなることはない。また、紙片を貼り付けるので、簡単に第１折り返し片２１ｆを形成できる。
【００３２】
袋本体２１に収納した収納シート２２の上端部が第２切欠部２１ｄ，２１ｅから露出するので、露出している収納シート２２の上端部を指で摘んで収納シート２２を袋本体２１から取り出すことができ、使い勝手が良くなる。
【符号の説明】
【００３３】
１０…熨斗袋
１１…袋本体
１１ａ…袋口
１１ｂ…第１折り返し片
１２…収納シート
１２ａ…収納シート本体
１２ｂ…第２折り返し片
１２ｃ…第３折り返し片
１２ｄ…第４折り返し片
１２ｅ…氏名欄
１２ｆ…金額欄
１３…水引
１４…紙幣
１５…袋本体
１５ａ…袋口
１５ｂ…第１折り返し片
１５ｃ…第１切欠部
１６…収納シート
１６ｂ…第２折り返し片
１６ｃ…第１切欠部
２０…熨斗袋
２１…袋本体
２１ａ…袋口
２１ｄ，２１ｅ…第２切欠部
２１ｆ…第１折り返し片
２２…収納シート
２２ａ…第２折り返し片
【図１】
0003197631.tif 000003
【図２】
0003197631.tif 000004
【図３】
0003197631.tif 000005
【図４】
0003197631.tif 000006
【図５】
0003197631.tif 000007
【図６】
0003197631.tif 000008
【図７】
0003197631.tif 000009
【図８】
0003197631.tif 000010
【図９】
0003197631.tif 000011
【図１０】
0003197631.tif 000012
【図１１】
0003197631.tif 000013
【図１２】
0003197631.tif 000014
【図１３】
0003197631.tif 000015
【図１４】
0003197631.tif 000016